(57)【要約】  磁気パルスで金属部品を変形させる組立体（１０）は、誘導コイル（２０）を含み、誘導コイルは、−電源に接続するように設計された分岐部（２１、２２）であって、前記分岐部（２１、２２）は、スロット（２３）を画定するように互いに隣接して延在する、分岐部と、−第１の分岐部および第２の分岐部に接続している有効部分であって、有効部分の表面は、「有効表面（２７）」と称され、変形対象部品の反対側に配置されるように設計される、有効部分とを含み、組立体（１０）は、マスクがコイル上の動作位置にあるときにコイル（２０）の全体または一部と脱着可能な形で協働するように構成された一体型マスク（３０）をさらに含み、マスク（３０）は、マスク（３０）が動作位置にあるときに、マスクが第１の部分（３１）を介してスロットに挿入され、第２の部分（３２）を介してコイルの前記有効表面を覆うように、コイルの形状と少なくとも部分的に嵌合するような形状であり、マスクは、電気絶縁材料で作製される。【選択図】図１
2022500254.tif 000002
【特許請求の範囲】
【請求項１】
例えば磁気パルス成形および／または磁気パルス溶接などの磁気パルスで金属部品を変形させる組立体（１０）であって、コイル（２０）を含み、前記コイルが、
−電源に接続するよう意図された第１の分岐部および第２の分岐部（２１、２２）であって、前記第１の分岐部および第２の分岐部（２１、２２）は、スロット（２３）を画定するように互いに隣接して延在する、第１の分岐部および第２の分岐部と、
−前記第１の分岐部および第２の分岐部（２１、２２）に接続している有効部分であって、前記有効部分の表面は、「有効表面（２７）」と称され、変形対象部品の反対側に配置されるように意図される、有効部分と
を含む、組立体であって、
前記組立体（１０）は、
前記コイル（２０）の全体または一部と脱着可能な形で協働するように構成された一体型マスク（３０）をさらに含み、前記マスク（３０）は、前記マスク（３０）が動作位置にあるときに、前記マスク（３０）が第１の部分（３１）を介して前記スロット（２３）に挿入され、第２の部分（３２）を介して前記コイル（２０）の前記有効表面（２７）を覆うように、前記コイル（２０）の形状と少なくとも部分的に嵌合するような形状であり、前記マスク（３０）は、電気絶縁材料で作製される
ことを特徴とする、組立体（１０）。
【請求項２】
前記コイル（２０）は貫通孔（２５）を有し、前記貫通孔からスロット（２３）が開口し、前記マスク（３０）は、動作位置にあるときに前記孔（２５）の内周面（２６）を覆う第３の部分（３３）を有する、請求項１に記載の組立体（１０）。
【請求項３】
第１の分岐部および第２の分岐部（２１、２２）の各々は、前記組立体（１０）の使用中に前記変形対象部品側に配置されるように意図された長手面（２１３、２２３）を有し、前記第１の分岐部および第２の分岐部（２１、２２）は、接合領域（２４）を介して互いに接続され、前記マスク（３０）は、前記マスク（３０）が動作位置にあるときに、前記長手面（２１３、２２３）および前記接合領域（２４）の面（２４０）を少なくとも部分的に覆う第４の部分（３４）を有する、請求項１または２に記載の組立体（１０）。
【請求項４】
前記マスク（３０）は、可撓性材料で作製される、請求項１〜３のいずれか一項に記載の組立体（１０）。
【請求項５】
前記マスク（３０）は、弾性材料で作製される、請求項１〜４のいずれか一項に記載の組立体（１０）。
【請求項６】
前記マスク（３０）は、シリコン材料で作製される、請求項１〜５のいずれか一項に記載の組立体（１０）。
【請求項７】
前記マスク（３０）を作製する前記材料は、少なくとも２００°Ｃの温度に耐え、少なくとも２０ｋＶ／ｍｍの絶縁耐力を有するように選定される、請求項１〜６のいずれか一項に記載の組立体（１０）。
【発明の詳細な説明】
【技術分野】
【０００１】
本発明は、磁気パルスで金属部品を加工するための技術の分野に属する。さらに詳細には、本発明は、磁気パルス成形、磁気パルス溶接または磁気パルスクリンプなどの磁気パルスで金属部品を変形させる分野に属する。本発明は、磁気パルスで金属部品を変形させるためのコイルを含む組立体に関し、磁気パルスは、前記コイルの一体型電気絶縁部品とつながっている。
【背景技術】
【０００２】
磁気パルスによる金属部品の変形は、コイルによって発生する電磁力の作用で行われる。この変形により、母材の形状に従って金属部品を形状加工するために形成作業を実施するか、あるいは２つの部品を互いに恒久的に合わせるために溶接および／またはクリンプ作業を実施することが可能になる。
【０００３】
コイルは一般に、コンデンサによって放出される電流が入る第１の分岐部と、電流が通り第１の分岐部と接続している第２の分岐部とからなる。２つの分岐部は、互いに対して実質的に同一方向に延びて数十ミリメートルの規則的な厚みのスロットができるように配置される。
【０００４】
先行技術で公知の方法では、磁気パルスで金属部品を変形させる装置は、短く強力な磁場を生成するためにコイルに接続した１つ以上のコンデンサを備えている。
【０００５】
１つ以上のコンデンサは、ある特定量の電気エネルギーを貯蔵するために使用される。生成された強力な磁場は、この電気エネルギーを極めて高強度の可変電流の形で極めて短時間に極めて急速にコイルに放出することによって生じるものである。例として、一部の装置は、数マイクロ秒で数十万アンペアに達することがある。
【０００６】
電流は、コイルと予め近くに配置された部品との間に可変磁場を発生させ、その部品に渦電流を誘導する。周囲の磁場に起因するこの渦電流は、部品内に力を発生させ、この力によって前記部品が別の部品の方向に急激に加速する。
【０００７】
部品は、特に発生した電流の強度レベル、衝突角度および衝突速度に応じて別の部品に形成されるか溶接される。
【０００８】
使用するコイルと変形対象部品との間に電流が通らないようにするため、前記コイルは、前記部品との境界に電気絶縁材を必要とする。
【０００９】
実際、部品に極めて高強度の電流が流れると、部品が破損するか劣化するおそれがある。さらに、この電流の流れにより安全性の問題を引き起こすおそれがある。
【００１０】
電気絶縁材料の層を、コイルの表面の少なくとも一部、および特に「有効部分」と呼ばれる変形対象部品の反対側にあるように意図された領域に接着することが一般に知られており、独国特許第１０２００４０１６４１４号、独国特許第１０２０７６５５号および特願２０１１１６１５１２に記載されているとおりである。
【００１１】
有効部分は、コイルと変形対象部品との間の誘導領域に相当する。
【００１２】
実際には、電気絶縁材料の層は、ポリイミド高分子材料で作製されたシートを重ね合わせて作製される。シートは、機械抵抗が低い。したがって、変形対象部品をコイルに配置する過程で起こる衝撃または摩擦から保護する膜を形成するために、前記シートには粘着テープの層が全体に塗布される。
【００１３】
また、このようなシートは、特定の剛性に欠点があるため、シートをコイルに塗布するのは困難で、コイルの有効部分は、複雑な立体形状で、例えば多くの角および／または短い半径の凸部および／または凹部を含む立体形状である。実際シートは、皺ができないように慎重に塗布される。皺のある領域は、破損や裂けがより起こりやすい領域になるという意味で、機械的負荷をより受けやすい。さらに、皺がコイルの有効部分に対面した位置にある場合、皺によって局所に余分な厚みができるため、この有効部分の領域で効率の低下が起こる。
【００１４】
コイルの２つの分岐部を互いに電気的に絶縁することも必要であり、したがって、特に短絡の発生を避けるため、それに伴い電気アークを避けるために、第１の分岐部および第２の分岐部の反対側部分でスロットにポリイミド高分子材料製のシートを塗布する必要がある。したがって、この作業を実施するのは、スロットの厚みが薄くなるほどいっそう複雑になることが理解される。
【００１５】
上記の点から、コイルを電気的に絶縁する先行技術の技術解決策は、実施するのが厄介で、重大なノウハウを必要とする。例として、この技術解決策は、コイルの立体形状の複雑さに応じて最大１日の作業が必要になることがある。
【００１６】
したがって、この解決策は、特に前述したように専門家が準備時間を必要とするため、費用がかかる。さらに、電気絶縁材料製の層が損傷すると、損傷した層を除去するためにその層が貼り付けられているコイル全体を交換するか、少なくとも解体することになる可能性がある。
【００１７】
また、前記層の塗布は再現するのが困難で、再現すると、別々のコイルで実施した２つの同じ作業それぞれで異なる結果になるおそれがある。その結果は重大な品質問題となることがある。
【先行技術文献】
【特許文献】
【００１８】
【特許文献１】独国特許第１０２００４０１６４１４号
【特許文献２】独国特許第１０２０７６５５号
【特許文献３】特願２０１１１６１５１２
【発明の概要】
【発明が解決しようとする課題】
【００１９】
本発明の１つの目的は、例えば磁気パルス成形および／または磁気パルス溶接などの磁気パルスで金属部品を変形させる組立体であって、誘導コイルを含み、誘導コイルは、
−電源に接続するよう意図された第１の分岐部および第２の分岐部であって、前記第１の分岐部および第２の分岐部は、スロットを画定するように互いに隣接して延在する、第１の分岐部および第２の分岐部と、
−第１の分岐部および第２の分岐部に接続している有効部分であって、有効部分の表面は、「有効表面」と称され、変形対象部品の反対側に配置されるように意図される、有効部分と
を含む、組立体を提供することで上記の欠点を克服することである。
【課題を解決するための手段】
【００２０】
組立体は、コイルの全部または一部と脱着可能な形で協働するように構成された一体側マスクを含む。マスクは、前記マスクが動作位置にあるときに、マスクが第１の部分を介してスロットに挿入され、第２の部分を介してコイルの有効表面を覆うように、コイルの形状と少なくとも部分的に嵌合するような形状であり、前記マスクは、電気絶縁材料で作製される。
【００２１】
これらの特徴により、組立体は、迅速かつ簡易に実現され得る。実際、オペレータは、組立体を形成するために単にマスクをコイル上の動作位置に当てるだけである。これを実現するために特別な資格は必要ない。
【００２２】
マスクは、コイルと脱着可能な形で協働し、単体の部品で作製されているため、前記コイルから容易かつ迅速に取り外して、例えば品質検査を受けることが可能である。このような検査は、絶縁性試験からなるものであってよい。
【００２３】
さらに、これらの特徴により、マスクの寿命はコイルの寿命とは無関係のため、メンテナンスに係るコストは著しく削減される。実際、マスクを取り換える際にコイルの取り換えは必要ない。そのため、ある特定の組立体に対して、使用しているコイルを含むマスクが劣化した場合に、複数のスペアマスクを検討することが可能である。
【００２４】
特定の実施形態では、本発明はさらに以下の特徴を満たし、これらの特徴は、単独で実装されるか技術的に組み合わせた作業の各々で実装される。
【００２５】
本発明の特定の実施形態では、コイルは貫通孔を有し、そこからスロットが開口する。マスクは、動作位置にあるときに孔の内周面を覆う第３の部分を有する。
【００２６】
これらの特徴は、マスクの位置を動作位置に位置付け、かつ／または保持することを確実にする効果を有する。
【００２７】
本発明の特定の実施形態では、第１の分岐部および第２の分岐部の各々は、組立体の使用中に変形対象部品側に配置されるように意図された長手面を有し、第１の分岐部および第２の分岐部は、接合領域を介して互いに接続されている。マスクは、前記マスクが動作位置にあるときに、長手面および接合領域の面を少なくとも部分的に覆う第４の部分を有する。
【００２８】
この第４の部分は、マスクの剛性および機械耐性をさらに高める作用を有する。さらに、第４の部分により、マスクの取り扱いを容易にすることが可能になる。第４の部分により、コイルに当接するマスクの支持面が大きくなり、それにより、動作位置にあるマスクの安定性を高めることが可能になる。
【００２９】
本発明の実施形態では、マスクは、可撓性材料で作製される。
【００３０】
この特徴により、マスクをコイル上の動作位置に配置すること、およびマスクを前記コイルから取り外すことを容易にすることが可能になる。
【００３１】
本発明の実施形態では、マスクは、弾性材料で作製される。
【００３２】
この特徴により、マスクをコイル上の動作位置に配置すること、およびマスクを前記コイルから取り外すことを容易にしやすくなる。
【００３３】
本発明の実施形態では、マスクは、シリコン材料で作製される。
【００３４】
したがって、マスクは、上乗せ成形または圧縮成形または射出によって製造されてよく、それによって製造コストを削減しやすくなり、同一形状で同様の特徴を有するマスクを多数製作できるようにすることが可能になる。
【００３５】
本発明の実施形態では、マスクを作製する材料は、組立体の使用中にマスクが受ける応力に耐えるために、少なくとも２００°Ｃの温度に耐え、少なくとも２０ｋＶ／ｍｍの絶縁耐力を有するように選定される。
【００３６】
本発明は、非限定的な例として挙げた以下の説明を読み、図面を参照することでよりよく理解されるであろう。
【図面の簡単な説明】
【００３７】
【図１】本発明の実施形態の第１の例による、磁気パルスで金属部品を変形させる組立体の斜視図であり、前記組立体がコイルおよびマスクを含む図である。
【図２】図１のコイルのみの斜視図である。
【図３】図１のマスクのみの斜視図である。
【図４】本発明の実施形態の第２の例による、磁気パルスで金属部品を変形させる組立体の斜視図であり、前記組立体がコイルおよびマスクを含む図である。
【図５】図４のコイルの斜視図である。
【図６】図４のマスクのみの下部斜視図である。
【図７】本発明の実施形態の第３の例による、磁気パルスで金属部品を変形させる組立体の斜視図であり、前記組立体がコイルおよびマスクを含む図である。
【図８】図７のコイルのみの斜視図である。
【図９】図７のマスクのみの斜視図である。
【００３８】
これらの図では、図面どうしで同一の符号は同一または同類の要素を指す。このほか、明瞭にするために、図面は別途明記しないかぎり原寸大ではない。
【発明を実施するための形態】
【００３９】
本発明は、磁気パルス成形、磁気パルス溶接または磁気パルスクリンプなどの磁気パルスで金属部品を変形させる組立体１０に関する。組立体１０は、電力供給源を備えるシステムの一部を形成する。通常そのような電力供給源は、１つ以上のコンデンサと、この１つ以上のコンデンサに貯蔵されている電流を極めて短い時間間隔で放出するスイッチとを備えている発電器で形成されてよい。
【００４０】
組立体１０は、誘導コイル２０および電気絶縁材料製のマスク３０を含む。
【００４１】
マスク３０は、前記コイル２０と協働するように構成される。
【００４２】
本文では、「協働する」という用語は、マスク３０とコイル２０が、当接して接触し合っているとときに互いに噛み合っていることを意味する。
【００４３】
以下の文では、組立体１０の実施形態の３つの例を説明する。図１〜図３と図４〜図６は、それぞれが本発明の実施形態の第１の例と第２の例を示しており、コイル２０は、「フラットコイル」と呼ばれる種類のもので、とりわけ平坦な部品を変形させる作業を実施するのに適している。図７〜図９は、本発明の実施形態の第３の例を示し、コイル２０は、「シリンダコイル」と呼ばれる種類のもので、とりわけ管状部品を変形させる作業を実施するのに適している。
【００４４】
コイルは、コイルの特定領域の電流密度が形状加工および／または溶接の条件を満たすのに十分であるように設計される。この領域を以下「有効部分」と称する。
【００４５】
図１〜図３に示した実施形態の第１の例では、図３に示したマスク３０は、図１に示したような組立体１０を形成するように、マスクが「動作位置」と称する位置にあるときに図２に示したコイル２０と協働するように構成される。
【００４６】
有利には、マスク３０とコイル２０は、脱着可能な形で協働することが可能で、それによってマスク３０を必要に応じてコイル２０から取り外すことが可能である。
【００４７】
図２に示したように、コイル２０は、互いに接続している少なくとも２つの分岐部を含む。一方の分岐部は、「第１の分岐部」２１と称し、電力供給源に接続することが意図されている。
【００４８】
第１の分岐部２１は、本明細書で「第２の分岐部」２２と称する別の分岐部に接続している。図２に示したように、前記第１の分岐部および第２の分岐部２１および２２は、実質的に平行な長手軸に沿って、「第１の端部」２１０、２２０と称する自由端と、分岐部どうしを互いに間接的に接続している「第２の端部」２１１、２２１と称する端部との間にそれぞれが延在する。
【００４９】
第１の分岐部および第２の分岐部２１および２２は、スロット２３を画定するように互いに隣接して延在する。
【００５０】
さらに詳細には、第１の分岐部および第２の分岐部２１および２２は、各々が内側部２１２、２２２を有し、内側部はスロット２３を画定するように互いに対面して配置される。
【００５１】
スロット２３の幅は一定である。
【００５２】
第１の分岐部および第２の分岐部２１および２２の各々は、長手面２１３、２２３も有する。長手面２１３および２２３は、組立体１０の使用中に変形対象部品側に配置されることが意図されている。
【００５３】
組立体１０の実施形態の第１の例では、コイル２０の第１の分岐部および第２の分岐部２１および２２は、接合領域２４を介して互いに接続される。
【００５４】
接合領域２４はプレートの形態で、この領域に、内周面２６を有する貫通孔２５が形成される。
【００５５】
プレートの面２４０は、変形対象部品と対面することが意図された突起部２４１を含む。
【００５６】
さらに詳細には、組立体１０の第１の例では、突起部２４１は、図２に示したように、孔２５の周縁に沿って構成された上部を有する。
【００５７】
１つの実施形態では、孔２５は、実質的に楕円形の直線区画を有する。
【００５８】
非限定的な実施形態では、第１の分岐部および第２の分岐部２１および２２の各々は、前記分岐部２１および２２よりも断面が小さい部分２１４、２２４を介して接合領域で接合されている。各部分２１４、２２４は、図２に示したように、分岐部２１、２２の第２の端部２１１、２２１のいずれか一方に接続している。
【００５９】
コイル２０の各部分２１４、２２４は、分岐部２１、２２の第２の端部２１１、２２１とともに、コイル２０の外側を向いた肩部を形成する。
【００６０】
スロット２３は、分岐部２１および２２の第１の端部２１０、２２０から孔２５まで延在する。換言すると、スロット２３は、分岐部２１および２２ならびに部分２１４、２２４に沿って延在する。
【００６１】
実施形態のこの第１の例で説明したようなフラットコイルの場合、電流は、第１の分岐部２１に入り、接合領域２４を通って第２の分岐部２２に出てコイル２０を流れる。電流は有効部分に集中し、有効部分は、接合領域２４に位置し、有効表面２７を境界とする層上、プレートの面２４０の突起部２４１の上部にあり、厚みは表皮の厚みに相当する。電流は、変形対象部品と有効表面２７との間を境界とする空間に、集中した磁場を発生させる。
【００６２】
ここで、突起部２４１の立体形状は、特に、変形の終わりに仕上がる部品の立体形状に左右されることが理解される。
【００６３】
マスク３０は、コイル２０の形状と少なくとも部分的に補完する形状となるように構成される。そのために、マスク３０は、マスク３０がコイル２０と協働するときにスロット２３に挿入される第１の部分３１を有する。
【００６４】
第１の部分３１は、前記第１の部分３１をスロット２３に挿入するときに機械的な遊びがあるように決定した厚みを有することが好ましい。そのようにすると、第１の部分の挿入およびスロット２３の手動での取り外しが容易になる。このような厚みは、例えば幅１ミリメートルのスロット２３であればおよそ１０分の８ミリメートルである。
【００６５】
この厚みは、マスク３０の機械強度および絶縁耐力の理由からも決定される。
【００６６】
マスク３０は、前記マスク３０がコイル２０と協働するときにコイル２０の有効表面２７を覆う第２の部分３２を有する。
【００６７】
図３に示した好適な形状では、第２の部分３２は、実質的に突起部２４１の表面と同一の立体形状である。
【００６８】
第２の部分３２は、変形対象部品に対してコイル２０の作用の効率が低下するリスクを回避するために、１ミリメートル未満、例えば１０分の５ミリメートルの厚みを有することが好ましい。
【００６９】
好適な実施形態では、マスク３０は、コイル２０の孔２５の内周面２６を覆う第３の部分３３を有する。有利には、第３の部分３３は、マスク３０の剛性および機械耐性をさらに高める。さらに、第３の部分は、コイル２０と変形対象部品との間の電気絶縁を確実にすることに寄与する。
【００７０】
組立体１０の実施形態の第１の例では、第３の部分３３は、図３に示したように、孔２５の形状と嵌合する形状であり、動作位置にあるときに孔と協働できるようになっている。したがって、第３の部分３３は、マスク３０が動作位置にあるときに孔２５の内周面２６を覆う。
【００７１】
好ましくは、マスク３０は、マスクが動作位置にあるときに、長手面２１３、２２３の全体または一部、各部分２１４および２２４の面、ならびにプレートの面２４０を覆う第４の部分３４を有する。この第４の部分３４は、マスク３０の剛性および機械耐性をさらに高める作用も有する。好ましくは、分岐部が単純な立体形状、すなわち鋭利な角度および／または半径の短い凸部および／または凹部のない区画を有する場合、マスクは、長手面２１３、２３３の一部のみを覆うような寸法であってよい。その場合、長手面２１３、２３３の残りの部分は、先行技術で公知の電気絶縁材料の層で覆われる。この特徴には、本発明の実現コストを削減するという利点がある。
【００７２】
さらに、第４の部分３３により、マスクが動作位置にあるときに、マスク３０の取り扱いを容易にすること、およびコイル上でのマスクの安定性を高めることが可能になる。
【００７３】
図４〜図６に示した実施形態の第２の例では、図６に示したマスク３０は、図４に示したような組立体１０を形成するように、マスクが動作位置にあるときに図５に示したコイル２０と協働するように構成される。
【００７４】
組立体１０の実施形態の第２の例によるコイル２０は、前述したように、第１の分岐部および第２の分岐部２１および２２、ならびに接合領域２４を有する。
【００７５】
第１の分岐部および第２の分岐部２１および２２の各々は、前述したように長手面２１３、２２３を有する。長手面２１３および２２３は、組立体１０の使用中に変形対象部品側に配置することが意図されている。
【００７６】
接合領域２４は、実施形態の第１の例に関して記載したように、２つの部分２１４、２２４を介して接続される。
【００７７】
接合領域２４が前述のものと異なる点は、第１の分岐部および第２の分岐部２１および２２の長手軸に対して実質的に垂直に延在する第３の分岐部の形状になっている点である。
【００７８】
さらに、部分２１４、２２４は、肩部どうしが互いに対向して配置されるように構成される。
【００７９】
図５に示したように、孔２５の境界は、部分２１４、２２４と分岐部２１および２２の第２の端部２１１、２２１とで形成される肩部ならびに接合領域２４であり、これらが孔２５の内周面２６を画定している。図５に示した非限定的な例では、孔２５は、実質的に長方形の直線区画を有する。
【００８０】
スロット２３は、分岐部２１および２２の第１の端部２１０、２２０から孔２５まで、すなわち分岐部の第２の端部２１１、２２１まで延在する。
【００８１】
組立体１０の実施形態の第２の例では、コイル２０は、有効部分が接合領域２４内にあり、第３の分岐部の面２４０で有効表面２７を境界とする層上にあるように設計される。
【００８２】
組立体１０の実施形態の第２の例では、マスク３０は、実施形態の第１の例と同様に、マスク３０がコイル２０と協働するときにスロット２３に挿入される第１の部分３１と、コイル２０の有効表面２７を覆う第２の部分３２とを有する。
【００８３】
マスク３０は、前述したような第３の部分３３も有することが好ましい。組立体１０の実施形態の第１の例と同様に、実施形態のこの第２の例では、第３の部分３３は、マスクが動作位置にあるときにマスクと協働できるように孔２５の形状と嵌合する形状である。
【００８４】
好ましくは、マスク３０は、マスク動作位置にあるときに長手面２１３、２２３、各部分２１４および２２４の面を少なくとも部分的に覆う第４の部分３４を有する。
【００８５】
この第４の部分３４は、マスク３０の剛性および機械耐性をさらに高める作用も有する。さらに、第４の部分３４により、マスクが動作位置にあるときに、マスク３０の取り扱いを容易にすること、およびコイル上でのマスクの安定性を高めることが可能になる。
【００８６】
図７〜図９に示した実施形態の第３の例では、図９に示したマスク３０は、図７に示したような組立体１０を形成するように、マスクが動作位置にあるときに図８に示したコイル２０と協働するように構成される。
【００８７】
組立体１０の実施形態の第３の例によるコイル２０は、前述した実施形態の例のコイル２０と同様に、第１の端部２１０、２２０と第２の端部２１１、２２１との間に延在する２つの分岐部２１および２２を有する。
【００８８】
さらに、第１の分岐部および第２の分岐部２１および２２の各々は、長手面２１３、２２３を有する。長手面２１３および２２３は、組立体１０の使用中に変形対象部品側に配置することが意図されている。
【００８９】
前述した実施形態の例とは異なり、実施形態のこの第３の例では、接合領域２４は、図８に示したように、分岐部の第１の端部２１０、２１０と第２の端部２２１、２２１との間にあるそれぞれの長手面２１３、２２３を介して第１の分岐部および第２の分岐部２１および２２に接続している。
【００９０】
さらに、コイル２０が実施形態の第１の例および第２の例で前述したものと異なる点は、コイル２０には部分２１４、２２４がないことから、接合領域２４が分岐部２１および２２に直接接続している点である。
【００９１】
接合領域２４は、好ましくは長手面２１３、２２３に垂直に延在する面２４０を有する実質的に平行六面体の立体形状の本体で形成される。図８に示したように、接合領域２４は貫通孔２５を有し、そこからスロット２３が開口する。
【００９２】
組立体１０の実施形態のこの第３の例では、コイル２０の孔２５は、実質的に環状の直線区画を有する。
【００９３】
環状型コイルの場合、電流は、孔２５の内周面２６の有効表面２７を境界とする層に集中する。
【００９４】
この場合、変形対象部品は、組立体１０の使用中にコイル２０の孔２５に導入されるように意図される。
【００９５】
図９に示したように、マスク３０は、実施形態の第１の例および第２の例と同様に、マスク３０がコイル２０と協働するときにスロット２３に挿入されるように構成された第１の部分３１と、コイル２０の有効表面２７を覆うように構成された第２の部分３２とを有する。したがって、第２の部分３２は、前記孔２５の形状に嵌合する形状、すなわち実施形態のこの例では、環状の直線区画の筒形状である。
【００９６】
実施形態この例では、図９に示したように、符号「３２」および「３３」がマスク３０の同じ部分を指す限り、第２の部分および第３の部分３２および３３は一体のものである。
【００９７】
好ましくは、マスク３０は、マスクが動作位置にあるときに長手面２１３、２２３および本体の面２４０を少なくとも部分的に覆う第４の部分３４を有する。
【００９８】
第４の部分３４は、ここでは肩部の形状である。
【００９９】
図４、図６、図７および図９に示した実施形態の例では、マスクは、変形対象部品とコイル２０との間の電気絶縁を確実にするために分岐部２１および２２の長手面２１３、２２３を超えて延在する。
【０１００】
組立体１０の実施形態の他の例では、孔２５は、変形対象部品の種類に応じて、かつ／または実施する変形作業の種類に応じて何らかの立体形状の直線区画を有していてよいことに留意することが重要である。
【０１０１】
組立体の実施形態の３つの例では、各例が特定種類のコイルを含んでいることを説明してきた。
【０１０２】
実施形態のこれらの例のいずれでも、非限定的に、マスク３０は一体型であり、有利には可撓性材料、すなわち変形可能な材料で作製される。さらに、この材料は、弾性特性、すなわちその特性に従って変形後に元の形状に戻るような特性を有するように選定されることが好ましい。
【０１０３】
マスク３０の材料は、好ましくは絶縁耐力が少なくとも２０ｋＶ／ｍｍとなるように、かつ少なくとも２００°Ｃの温度に耐えるように選定される。
【０１０４】
このような材料は、シリコンまたは合成樹脂などのポリマーであってよい。
【０１０５】
マスク３０は、有利には、上乗せ成形または圧縮成形で作製されてよい。
【０１０６】
マスク３０は、実質的にコイル２０と等しい寸法になるように構成され、それによってマスクが前記コイル２０と協働するとき、マスクは、好ましくは締め付け作用、例えば締りばめによってのみコイルに当てられる。
【０１０７】
これらの特徴により、コイル２０とマスク３０との境界で接着剤または粘着剤を使用するのを避け、それによって組立体１０の組み立てを簡易にすること、およびそれに伴い組立体のコストを削減することが可能になる。
【０１０８】
さらに一般的には、上記で検討した組立体１０の実装形態および実施形態は、非限定的な例として説明したものであり、よってその他の変形例を構想可能であることに注意すべきである。
【０１０９】
特に、本発明は、コイルの立体形状を２例検討し、それに伴いマスクの立体形状を２例検討して説明されている。しかしながら、その他の類の実施形態では、コイルおよびマスクの他の立体形状を検討することを何ら除外するものではない。
【図１】
2022500254.tif 000003
【図２】
2022500254.tif 000004
【図３】
2022500254.tif 000005
【図４】
2022500254.tif 000006
【図５】
2022500254.tif 000007
【図６】
2022500254.tif 000008
【図７】
2022500254.tif 000009
【図８】
2022500254.tif 000010
【図９】
2022500254.tif 000011
【国際調査報告】
2022500254.tif 000012
2022500254.tif 000013
2022500254.tif 000014
2022500254.tif 000015